(57)【要約】【課題】駆動媒体が漏れても放流先を汚染することがなく、シール構造を簡素化することができ、冠水対策や保守管理、設置場所の選択を容易にすることができるスクリーン装置を提供すること。【解決手段】下水等の流水路に配設され、流水中の夾雑物を捕捉するスクリーン１と、捕捉した夾雑物をスクリーン１から除去する夾雑物除去機構２とを備え、夾雑物除去機構２を水圧シリンダ３によって駆動する。【選択図】図１
2006336265.tif 000002
【特許請求の範囲】
【請求項１】
下水等の流水路に配設され、流水中の夾雑物を捕捉するスクリーンと、捕捉した夾雑物をスクリーンから除去する夾雑物除去機構とを備えたスクリーン装置において、夾雑物除去機構を水圧シリンダと水圧モータの少なくとも一方により駆動するようにしたことを特徴とするスクリーン装置。
【請求項２】
ポンプ等を備えた水圧ユニットと電気の制御・操作盤とを、筒状の柱体に一体で組み込んだことを特徴とする請求項１記載のスクリーン装置。
【請求項３】
前記筒状の柱体に、太陽光発電装置と風力発電装置の少なくとも一方を取り付けたことを特徴とする請求項２記載のスクリーン装置。
【発明の詳細な説明】
【技術分野】
【０００１】
本発明は、スクリーン装置に関し、例えば、合流式下水道の雨水吐室等に設置して、雨天時に公共用水域へ放流される合流式下水から夾雑物を除去し、公共水域の汚染を防止する合流改善に使用されるスクリーン装置に関するものである。
【背景技術】
【０００２】
最近、雨天時に雨水吐室から未処理で放流される合流式下水に由来する、オイルボールやトイレットペーパ、その他夾雑物による公共用水域の汚染が問題になり、合流改善の対策が緊急の課題となっている。
このため、下水道法改正により雨水吐室に夾雑物除去用のスクリーン装置等の設置が義務づけられた。
本用途のスクリーン装置としては種々の機種が提案されているが、その駆動装置としては、油圧式、電動式又は水車式しかなく、雨水吐室で使用するには各々問題を有している。
【０００３】
すなわち、上記従来のスクリーン装置は、その駆動装置に次のような問題点があった。
１．油圧式は、油圧機器や油圧配管等からの油漏れのおそれがある。また、万一油漏れが発生した場合はスクリーン装置自体が公共用水域の汚染源となる。
２．電動式は、水位上昇時に冠水のおそれがある。この対策として、常時は気中で運転、冠水時も水中で運転可能な水中気中電動機が使用される。しかし、この電動機は特殊で価格も高く、製作期間も長い。また、浸水防止や漏電防止のために完全シールが必要であり、構造が複雑となって保守管理も難しいという問題がある。
３．水車式は、無動力式と称せられる方式であり、越流する落差を利用して水車を回し、スクリーン装置を駆動するものである。しかし、この方式は越流側に落差がない場合は適用することができないという問題があった。
【発明の開示】
【発明が解決しようとする課題】
【０００４】
本発明は、上記従来のスクリーン装置が有する問題点に鑑み、駆動媒体が漏れても放流先を汚染することがなく、シール構造を簡素化することができ、冠水対策や保守管理、設置場所の選択を容易にすることができるスクリーン装置を提供することを目的とする。
【課題を解決するための手段】
【０００５】
上記目的を達成するため、本発明のスクリーン装置は、下水等の流水路に配設され、流水中の夾雑物を捕捉するスクリーンと、捕捉した夾雑物をスクリーンから除去する夾雑物除去機構とを備えたスクリーン装置において、夾雑物除去機構を水圧シリンダと水圧モータの少なくとも一方により駆動するようにしたことを特徴とする。
【０００６】
この場合において、ポンプ等を備えた水圧ユニットと電気の制御・操作盤とを、筒状の柱体に一体で組み込むことができる。
【０００７】
また、前記筒状の柱体に、太陽光発電装置と風力発電装置の少なくとも一方を取り付けることができる。
【発明の効果】
【０００８】
本発明のスクリーン装置によれば、下水等の流水路に配設され、流水中の夾雑物を捕捉するスクリーンと、捕捉した夾雑物をスクリーンから除去する夾雑物除去機構とを備えたスクリーン装置において、夾雑物除去機構を水圧シリンダと水圧モータの少なくとも一方により駆動することから、駆動媒体として清水を使用することができ、これにより、漏れても油圧式のように放流先の公共用水域を汚染することがなく、また、油圧式のように漏れを防止するための完全シールが不要であることから、シール構造を簡素化し、製造も容易でコストも低減でき、保守管理も容易にすることができ、さらに、駆動媒体の清水は、入手や補給、交換が容易で安価である。
また、電動式のように、特殊な電動機を使用する必要がなく、特別な冠水対策が不要になるとともに、１台の水圧ユニットで複数台のスクリーン装置の駆動が可能である。
そして、越流側の落差の有無、水位条件の制約を受けることなく設置が可能であり、また、雨水吐室にはスクリーン装置本体と圧力水配管を設置すればよく、狭隘であることが多い雨水吐室にも設置することができ、さらに、水圧ユニットは雨水吐室外の地上に設置することができ、冠水のおそれがなく保守管理を容易にすることができる。
【０００９】
この場合、ポンプ等を備えた水圧ユニットと電気の制御・操作盤とを、筒状の柱体に一体で組み込むことにより、スペースを取らず道路脇等にも設置可能であり、また、駆動と運転制御を１箇所で行うことができる。
【００１０】
また、前記筒状の柱体に、太陽光発電装置と風力発電装置の少なくとも一方を取り付けることにより、該発電装置の電力によりスクリーン装置の運転制御を行うことができる。
【発明を実施するための最良の形態】
【００１１】
以下、本発明のスクリーン装置の実施の形態を、図面に基づいて説明する。
【実施例１】
【００１２】
図１〜図２に、本発明のスクリーン装置の第１実施例を示す。
このスクリーン装置は、下水等の流水路に配設され、流水中の夾雑物を捕捉するスクリーン１と、捕捉した夾雑物をスクリーン１から除去する夾雑物除去機構２とを備え、夾雑物除去機構２を水圧シリンダ３によって駆動するようにしている。
【００１３】
スクリーン装置は、雨水吐室の越流部に配設され、水平方向の多数のスリットを有するスクリーン１と、該スクリーン１のスリットに沿って摺動し、スクリーン１上の夾雑物を掻き取る掻取り装置（レーキ）２１と、該掻取り装置を摺動させる水圧シリンダ３と、該水圧シリンダ３を駆動するポンプ等を備えた水圧ユニット４と、水圧シリンダ３と水圧ユニット４を結ぶ圧力水配管５とを備えている。
【００１４】
水圧ユニット４と電気の制御・操作盤は、図３に示すように、地上に設置した筒状の柱体６に一体に組み込まれており、また、この筒状柱体６には、太陽光発電装置と風力発電装置（図示省略）が取り付けられている。
【実施例２】
【００１５】
図４〜図６に、本発明のスクリーン装置の第２実施例を示す。
このスクリーン装置は、下水等の流水路に配設され、流水中の夾雑物を捕捉するスクリーン１と、捕捉した夾雑物をスクリーン１から除去する夾雑物除去機構２とを備え、夾雑物除去機構２を水圧モータ７によって駆動するようにしている。
【００１６】
スクリーン装置は、雨水吐室の越流部に配設され、水平方向の回転軸を有するディスクスクリーン８と、該ディスクスクリーン８を駆動する水圧モータ７と、該水圧モータ７を駆動するポンプ等を備えた水圧ユニット４と、水圧モータ７と水圧ユニット４を結ぶ圧力水配管５とを備えている。
ディスクスクリーン８は、スクリーン１と夾雑物除去機構２とを兼用するものであり、多数のディスク８１を所定の目幅で配設した回転軸８２を複数形成するとともに、各回転軸８２を、ディスク８１の間隙に他の回転軸８２のディスク８１が挟まれるように上下に並設したものからなり、各回転軸８２を同一方向に回転駆動することにより、ディスクスクリーン８上の夾雑物を流入側に押し出すようになっている。
【００１７】
水圧ユニット４と電気の制御・操作盤は、図３に示すように、地上に設置した筒状の柱体６に一体に組み込まれており、筒状の柱体６には、太陽光発電装置と風力発電装置（図示省略）が取り付けられている。
【００１８】
かくして、本実施例のスクリーン装置は、下水等の流水路に配設され、流水中の夾雑物を捕捉するスクリーン１と、捕捉した夾雑物をスクリーン１から除去する夾雑物除去機構２とを備えたスクリーン装置において、夾雑物除去機構２を水圧シリンダ３と水圧モータ７の少なくとも一方により駆動することから、駆動媒体として清水を使用することができ、これにより、漏れても油圧式のように放流先の公共用水域を汚染することがなく、また、油圧式のように漏れを防止するための完全シールが不要であることから、シール構造を簡素化し、製造も容易でコストも低減でき、保守管理も容易にすることができ、さらに、駆動媒体の清水は、入手や補給、交換が容易で安価である。
また、従来の電動式のように、特殊な電動機を使用する必要がなく、特別な冠水対策が不要になるとともに、１台の水圧ユニット４で複数台のスクリーン装置の駆動が可能である。
そして、越流側の落差の有無、水位条件の制約を受けることなく設置が可能であり、また、雨水吐室にはスクリーン装置本体と圧力水配管５を設置すればよく、狭隘であることが多い雨水吐室にも設置することができ、さらに、水圧ユニット４は雨水吐室外の地上に設置することができ、冠水のおそれがなく保守管理を容易にすることができる。
【００１９】
この場合、ポンプ等を備えた水圧ユニット４と電気の制御・操作盤とを、筒状の柱体６に一体で組み込むことにより、駆動と運転制御を１箇所で行うことができ、また、前記筒状の柱体６に、太陽光発電装置と風力発電装置の少なくとも一方を取り付けることにより、該発電装置の電力によりスクリーン装置の運転制御を行うことができる。
【００２０】
以上、本発明のスクリーン装置について、複数の実施例に基づいて説明したが、本発明は上記実施例に記載した構成に限定されるものではなく、例えば、夾雑物除去機構を備えた上記以外の構造のスクリーン装置にも適用しうるなど、その趣旨を逸脱しない範囲において適宜その構成を変更することができる。
【産業上の利用可能性】
【００２１】
本発明のスクリーン装置は、駆動媒体が漏れても放流先を汚染することがなく、シール構造を簡素化することができ、冠水対策や保守管理、設置場所の選択を容易にするという特性を有していることから、下水をはじめとして、各種流水路のスクリーン装置の用途に好適に用いることができる。
【図面の簡単な説明】
【００２２】
【図１】本発明のスクリーン装置の第１実施例を示す平面図である。
【図２】図１のＡ−Ａ線断面図である。
【図３】筒状柱体を示し、（ａ）はその正面図、（ｂ）はその側面図である。
【図４】本発明のスクリーン装置の第２実施例を示す平面図である。
【図５】図４のＡ−Ａ線断面図である。
【図６】図４のＢ−Ｂ線断面図である。
【符号の説明】
【００２３】
１    スクリーン
２    夾雑物除去機構
２１  掻取り装置（レーキ）
３    水圧シリンダ
４    水圧ユニット
５    圧力水配管
６    筒状柱体
７    水圧モータ
８    ディスクスクリーン
８１  ディスク
８２  回転軸
【図１】
2006336265.tif 000003
【図２】
2006336265.tif 000004
【図３】
2006336265.tif 000005
【図４】
2006336265.tif 000006
【図５】
2006336265.tif 000007
【図６】
2006336265.tif 000008